(57)【要約】【課題】学生による書籍（特に大学の教科書等）の出品が積極的に行われ、良書の仕入が促進されるような古書籍流通支援システムを提供する。【解決手段】管理サーバ１４は、売り手側学生と買い手側学生との間における教科書３０の売買関連情報を仲介しつつ、教科書の出品履歴や売買履歴に基づいて各学生の学習指向性を分析して統計情報を生成する。企業は前記統計情報を参酌しつつ、特定の学習指向性や個人属性を有する学生に対して電子メールで有用情報（例えば、求人情報）を配信する。学生は、使用済みの教科書を通常に売買するだけで、自分の学習指向性に合った有用な情報を入手することができる。このような仕組みにより、学生による書籍の出品が促進され、良書の仕入が促進される。【選択図】  図１
2004157928.tif 000002
【特許請求の範囲】
【請求項１】
データ通信ネットワークにより他の端末と通信可能に接続されたサーバを備え、該サーバは、
大学の講義で使用されている複数の書籍の属性情報を保存した講義関連書籍データベース、
複数の学生の属性情報を保存した学生データベース、
前記書籍の出品及び／又は売買の履歴を前記学生毎に保存した履歴保存部、及び、
少なくとも前記履歴に基づいた内容の有用情報を各学生の端末宛に配信する情報配信部
を備えることを特徴とする古書籍流通支援システム。
【請求項２】
前記有用情報は事業者から提供された事業者関連情報を含むことを特徴とする請求項１に記載の古書籍流通支援システム。
【請求項３】
請求項２に記載の古書籍流通支援システムを利用し、
少なくとも各学生の書籍の出品及び／又は売買の履歴に基づいて該学生向けの事業者関連情報を選択し、該事業者関連情報を前記学生の端末宛に配信する手順、
前記事業者が学生の選択に関する条件を指定する手順、及び、
学生の属性情報及び前記履歴に基づいて前記条件に合致する学生を選択し、選択された学生に関する情報を前記事業者の端末宛に配信する手順
を備えることを特徴とする、古書籍流通支援システムを利用したビジネス方法。
【請求項４】
データ通信ネットワークに接続されたコンピュータを請求項１又は２に記載のサーバとして機能させるための古書籍流通支援プログラム。
【発明の詳細な説明】
【０００１】
【発明の属する技術分野】
本発明は古書籍流通支援システムに関し、特に、使用済みの教科書や参考書等（以下、単に教科書と呼ぶ）を学生間で譲渡又は売買する活動を支援するためのシステムに関する。
【０００２】
【従来の技術】
大学の講義で使用される教科書には高額のものが多く、全て購入することは学生にとって相当な経済的負担を強いるものである。ところが、そういう教科書には、学生の大学卒業後には不要になるものも多い。一方で、同じ教官による講義では数年の間同じ教科書を使うこともある。従って、ある学生がそのような講義を受講する場合、過去にその講義を受講した別の学生が使用していた教科書を譲り受けて使用することがよく行われる。従来、このような教科書の譲渡は、学生間で直接、あるいは古書店での売買という形で行われてきた。しかし、直接譲渡する相手がおらず、古書店へ持ち込むのは面倒であり、仮に持ち込んだとしても安値でしか買い取ってもらえないといった理由により、教科書を廃棄してしまう例も多い。これは資源の有効活用という点で問題である。このような問題に対する取り組みとして、最近では、インターネットを利用して教科書の譲渡や売買を支援するシステム（以下、教科書リサイクルシステムと呼ぶ）が出現してきている（例えば、非特許文献１）。
【非特許文献１】
「リサイクル本舗」のＷＥＢサイト（ｈｔｔｐ：／／ｗｗｗ．ｙｕｒｉ．ｓａｋｕｒａ．ｎｅ．ｊｐ／￣ｏｇａｍａｎ／）
【０００３】
【発明が解決しようとする課題】
一般に古書籍販売ではいかにして良書を仕入れるかが重要な課題となるが、特に、大学の教科書を取り扱う場合には次のような事情を考慮しなければならない。すなわち、大学の教科書は比較的高額であるにも関わらず一定の需要が確実に見込める一方で、いわゆるベストセラーのように大量に売れることはあまり期待できない。従って、中古市場に出回る数もある程度限られている。また、教科書の売買が活発になるのは新学期開始時、試験前後、学生の卒業時などの特定時期に集中しやすく、その時期を逃すと仕入や販売が難しくなる。このように教科書の中古市場では、量的及び時間的制約が大きいため、仕入能力が十分でなければ売買の好機を逸してしまう。本発明はこのような課題を解決するために成されたものであり、その目的とするところは、学生による書籍の出品が積極的に行われ、良書の仕入が促進されるような古書籍流通支援システム及びそのためのプログラムを提供することにある。
【０００４】
【課題を解決するための手段】
上記課題を解決するために成された本発明に係る古書籍流通支援システムは、データ通信ネットワークにより他の端末と通信可能に接続されたサーバを備え、該サーバは、
大学の講義で使用されている複数の書籍の属性情報を保存した講義関連書籍データベース、
複数の学生の属性情報を保存した学生データベース、
前記書籍の出品及び／又は売買の履歴を前記学生毎に保存した履歴保存部、及び
少なくとも前記履歴に基づいた内容の有用情報を各学生の端末宛に配信する情報配信部
を備えることを特徴としている。
【０００５】
また、本発明は、前記古書籍流通支援システムを利用して学生と事業者との間のマッチングを支援するビジネスを実現する方法を提供する。更にまた、本発明は、データ通信ネットワークに接続されたコンピュータを前記サーバとして機能させることを特徴とする古書籍流通支援システム用プログラムを提供する。
【０００６】
【発明の実施の形態及び発明の効果】
大学の教科書の中古市場には、好みの幅の広い一般書の中古市場と異なり、次のような特徴がある。
・売買当事者の範囲がかなり限定されている。すなわち、売り手も買い手もほとんどが学生である。
・取扱書籍の内容が売買当事者の学習指向性（関心分野、専門分野等）を強く反映している。従って、例えばある者がどんな書籍を売買したかを見れば、その者の関心分野、専門分野等を高い確度で推定できる。
本発明はこのような特徴に注目して成されたものである。
【０００７】
すなわち、本発明に係るシステムは講義関連書籍データベースを備えており、これに基づいて、学生の出品した書籍（売却希望書籍）が大学の講義で使用されている書籍（すなわち、大学の教科書）であるかどうかを判定する。そして、その書籍の出品履歴、販売履歴（売り手側）、購入履歴（買い手側）を売り手学生及び／又は買い手学生毎に履歴保存部に保存する。こうして履歴保存部に保存された情報に基づいて、各学生の学習指向性を高い確度で分析する。そして、分析された学習指向性に基づいた内容の有用情報を各学生の端末宛に配信する。有用情報の例としては、例えば企業からの求人情報や商品情報が挙げられる。
【０００８】
以上のように、本発明に係るシステムを用いれば、学生は、自分の氏名、連絡先、電子メールアドレス等の一般的な個人属性情報を登録した上で、使用済みの教科書を売却又は譲渡希望品として出品するだけで、自分の学習指向性に合った有用な情報を入手することができる。その際、学生は、自分の学習履歴に関する詳細情報をわざわざ登録する必要はない。このような仕組みにより、学生による書籍の出品が促進され、良書の仕入が促進される。
【０００９】
本発明に係るシステムにおいては、事業者関連情報を有用情報として学生に配信することが特に好ましい。事業者関連情報とは、例えば事業者（企業等）の事業情報や求人情報のことである。学生にとって非常に重要な情報の一つは求人情報であって、膨大な数の事業者の中から自分の能力や関心に適合した事業者を探し出すには、自分の個人属性や学習指向性に基づいて効率よく情報を抽出することが欠かせない。この事情は事業者側から見ても同様であって、有用な人材を発掘するには多数の学生の情報を集めるだけでなく、その中から自分の求める人材に関する情報を効率よく抽出しなければならない。そこで、本発明に係るシステムを上記のように利用すれば、まず学生は、古書籍の売買というごく日常的な行為を繰り返すだけで、自分の個人属性や学習指向性に基づいて抽出された事業者関連情報を入手することができる。また、事業者側は、自分の求める一定の個人属性や学習指向性を有する多数の学生に対して事業情報や求人情報を効率よく配信することができる。このように、本発明に係るシステムは、いわば学生と事業者とのマッチングを支援するビジネスにも利用できるものである。
【００１０】
【実施例】
本発明の一実施例である教科書リサイクルシステムについて図面を参照しながら説明する。本実施例の教科書リサイクルシステム（以下、本システムと呼ぶ）１０の概略構成を図１に示す。本システムは、インターネット等から成る通信ネットワーク１２に接続されたコンピュータである管理サーバ１４を備えている。管理サーバ１４は、それぞれ所定のコンピュータプログラムを動作させることにより構成されたソフトウェア機能部であるＷＥＢサーバ１６、メール管理部１８、データ管理部２０を備えている。管理サーバ１４は、ネットワーク１２に接続された他の端末（学生端末２４Ａ及び２４Ｂ、企業端末２６）から送られてくる各種要求に応じた処理を実行し、結果をそれらの端末に返す。学生端末２４ＡはＷＥＢブラウザ及びメール送受信ソフトウェアがインストールされたパーソナルコンピュータ（以下、パソコンと略記する）、学生端末２４ＢはＷＥＢブラウザ機能及びメール送受信機能を備える携帯電話、企業端末２６はＷＥＢブラウザがインストールされたパソコンである。なお、図１では学生端末を２つ、企業端末を１つだけ描いているが、実際にはより多くの学生端末及び企業端末が存在している。また、以下の説明で学生端末２４Ａ及び２４Ｂのいずれにも適用可能な事項を記載する場合は単に「学生端末２４」と表記する。
【００１１】
更に、管理サーバ１４は、固定磁気ディスク等の記憶装置から成るデータ保存部２８を備えている。データ保存部２８の概略構成を図２に示す。なお、図２では「データベース」という語を「ＤＢ」と略記している。データ保存部２８に作成されたデータベース及びデータ保存部について以下に説明する。
【００１２】
学生データベース：  本システムの会員として登録された学生の属性情報を保存したデータベース。キー項目は学生ＩＤ。保存される情報には、氏名、住所、電話番号、メールアドレス、学校名、学部、学科、専攻等が含まれる。
企業データベース：  本システムの会員として登録された企業の属性情報を保存したデータベース。キー項目は企業ＩＤ。保存される情報には、企業名、住所、担当者名、電話番号、メールアドレス等が含まれる。
教科書データベース：  大学の講義で使用される教科書（又は過去に使用されていた教科書）の書誌情報を保存したデータベース。キー項目は書籍ＩＤ。保存される情報には、書名、著者名、発行日、版、判型、総ページ数、内容分類、定価等が含まれる。
講義データベース：  大学の講義情報を保存したデータベース。キー項目は講義ＩＤ。保存される情報には、学校名、講義名、教官名、開講期間、書籍ＩＤ等が含まれる。書籍ＩＤには、該当講義で使用されている教科書の書籍ＩＤが保存される。複数の書籍ＩＤを保存可能にしてもよい。
商品データベース：  本システムを通じて所有者が売却を希望している教科書に関する情報を保存したデータベース。キー項目は商品ＩＤ。保存される情報には、書籍ＩＤ、登録日、登録者ＩＤ、書籍の状態、希望売却価格、販売期間、管理状況等が含まれる。書籍ＩＤは、売却対象の教科書の書籍ＩＤが保存される。書籍の状態は、出品者が商品登録時に所定の選択肢（例：良い／普通／悪い）から選択する。販売期間とは、該当商品を売却可能な期間のことである。例えば、ある期日までは教科書を使用しており、実際に売却可能になるのはそれより後になるといった場合に、販売期間を指定する。管理状況は、例えば「商談中」「売約済み」「売却済み」といった値で表現される。
成約履歴データベース：  実際に商品の売買が成立した事例に関する情報を保存したデータベース。キー項目は成約ＩＤ。保存される情報には、商品ＩＤ、成約日、購入者ＩＤ等が含まれる。購入者ＩＤには、該当商品を購入した学生の学生ＩＤが保存される。
書籍リクエストデータベース：  ユーザから入手希望が出ている教科書に関する情報を保存したデータベース。キー項目はリクエストＩＤ。保存される情報は、希望の書籍を特定可能な内容であればいなかる情報でもよい。具体的には、例えば以下のような情報があれば、書籍を特定することができる。
（１）書名、出版社及び発行日の組み合わせ
（２）ＩＳＢＮ
（３）大学名、学部・学科名及び講義名の組み合わせ
ＷＥＢサイトデータ保存部：  本システムのＷＥＢサイトを構成するファイル群（ＨＴＭＬ文書、画像、音声、スクリプト等）を保存した場所。
【００１３】
図３にＷＥＢサイトの一部の概略構成を示す。ＷＥＢサイトのうち破線で囲んだ領域は本システムの学生会員又は企業会員として登録した者だけが閲覧可能な領域である。
【００１４】
学生会員登録を希望する者は、学生端末２４のＷＥＢブラウザでトップページを開き、そこで「学生会員登録」を選択して学生会員登録ページを開く。学生会員登録ページには学生会員登録に必要な情報（図２の「学生データベース」を参照）を入力するフォームが備えられている。このフォームに必要情報を入力して送信操作を実行すると、入力情報が端末から管理サーバ１４に送信される。管理サーバ１４では、受け取った情報がＷＥＢサーバ１６からデータ管理部２０に渡される。データ管理部２０は新たな学生ＩＤ及びパスワードを発行し、前記学生ＩＤに対応する新たなレコードを学生データベース（図２）に追加して、そこに前記情報を保存する。発行された学生ＩＤ及びパスワードはＷＥＢサーバ１６を通じて前記学生端末２４に送信される。
【００１５】
企業会員登録を希望する企業は、企業端末２６のＷＥＢブラウザを用いて、上記学生登録と同様の手順で企業会員登録ページの企業会員登録用フォームに必要情報を入力して送信操作を実行することにより、管理サーバ１４に企業会員登録用の情報を送信する。情報を受けた管理サーバ１４では、データ管理部２０が学生会員登録時と同様に新たな企業ＩＤ及びパスワードを発行し、企業データベース（図２）に前記情報を保存する。発行された企業ＩＤ及びパスワードはＷＥＢサーバ１６を通じて前記企業端末２６に送信される。
【００１６】
上記のようにして学生ＩＤ又は企業ＩＤを取得した者は、次回からはトップページの「ログイン」を選択し、認証ページでＩＤ及びパスワードを入力することにより、学生向けメニュー又は企業向けメニューを利用することができる。
【００１７】
学生向けメニューから利用できるサービス機能の概要を以下に説明する。
【００１８】
登録情報確認／変更：  学生会員が学生データベースに登録された情報の確認や変更を行うことができるようにするための機能。他の学生や企業に公開する情報項目の選択も可能である。
新着情報閲覧：  学生会員が本システムに新たに出品された教科書の一覧や新たに学生から出されたリクエストの一覧等を閲覧できるようにするための機能。教科書の購入申し込みもできる。
教科書検索：  学生会員が本システムに出品されている教科書を検索し、該当教科書の一覧や各教科書の詳細情報（例えば、どの大学のどの講義で使用されている教科書か）を閲覧することができるようにするための機能。ディレクトリ検索機能、書名、著者名、大学名、学部・学科名、講義名、教官名等によるキーワード検索機能が利用できる。教科書の購入申し込みもできる。
売却希望商品登録：  学生会員が自分の教科書を売却希望商品として本システムに登録できるようにするための機能。登録の際は、先に説明したような書籍特定情報の他に、希望売却価格、当該教科書を使っている講義の情報（大学名、学部・学科名、講義名、教官名等）を入力する。なお、講義データベース（図２）に登録された教科書については、書籍特定情報の入力だけで講義の情報を自動的に取得することが可能である。このような場合、学生に講義の情報を要求する必要はない。同一の教科書が複数の講義で使用されている場合は、それらの講義の一覧を表示して学生に選択させる。
商品管理：  学生会員が、自分で売却希望登録した教科書の登録情報を管理できるようにするための機能。管理作業には、登録内容の閲覧や変更（例：売却希望価格の変更）、登録取消、商談結果の入力（例：売買成立／不成立）等が含まれる。
教科書リクエスト：  学生会員が譲って欲しい教科書をリクエストできるようにするための機能。リクエストの出された教科書の書誌情報は新着情報閲覧サービスを通じて他の学生会員に公開される。このとき、各教科書の入手を希望している学生会員の人数を合わせて公開してもよい。
講義情報提供：  学生会員がどの講義でどの教科書が使われているかに関する情報を本システムに提供できるようにするための。情報提供に際して教科書の出品は要求されない。情報提供を促進するため、情報提供者に本システムでの書籍購入に利用可能なポイントを与えるようにしてもよい。
【００１９】
企業向けメニューから利用できるサービス機能の概要を以下に説明する。
【００２０】
登録情報確認／変更：  企業会員が企業データベースに登録された情報の確認や変更を行うことができるようにするための機能。
統計情報閲覧：  企業会員が学生会員に関する各種統計情報を閲覧できるようにするための機能。統計情報には、例えば分野・テーマ別学生数、書籍別学生数、学校別学生数等が含まれる。
配信メール作成：  企業会員が学生の属性条件を指定し、その条件に合わせて編集された情報を含む電子メール（オプトインメール）用の文章を作成できるようにするための機能。作成された文章は電子メールを利用して上記属性条件を満たす学生に配信される。具体的には、例えば、企業を発行者とする学生宛のダイレクトメールや、学生の専門・関心分野に関連する内容のメールマガジンに挿入されるヘッダ広告として各学生に配信される。なお、配信先の学生に関する個別情報は原則として企業には公開されない。
【００２１】
本システムによる教科書売買の手順は次の通りである。
【００２２】
まず、売り手側の学生（以下、売り手）が学生端末２４Ａを用いてＷＥＢサイトの学生向けメニューページを開き、「売却希望商品登録」を選択すると、商品情報入力フォームを備える商品登録画面が表示される。この画面で売り手は前記入力フォームに自分の教科書３０の書籍特定情報、その教科書を使う講義の情報、希望売却価格、販売期間等を入力する。なお、前記入力フォームは一度に複数の教科書の情報を入力できるようなものであってもよい。データの入力後、送信操作を実行すると、入力データが端末２４Ａから管理サーバ１４に送信される。管理サーバ１４では、前記データがＷＥＢサーバ１６を介してデータ管理部２０に渡される。データを受け取ったデータ管理部２０は次のような処理を実行する。
・受け取ったデータの中に教科書データベースに未登録の教科書の情報が含まれていたら、その情報を教科書データベースに新規登録する。
・受け取ったデータの中に講義データベースに未登録の講義の情報が含まれていたら、その情報を講義データベースに新規登録する。
・商品データベースに商品関連情報を登録する。
【００２３】
買い手側の学生（以下、買い手）は、学生端末２４Ｂを用いてＷＥＢサイトの学生向けメニューページを開き、以下のいずれかの方法で教科書の購入申し込みを行う。
・「新着情報閲覧」を選択して新着教科書一覧画面を表示し、そこで希望の商品を選択して購入申し込み操作を実行する（例：希望商品に対応する「購入」ボタンを押下する）。
・「教科書検索」を選択して教科書検索画面を表示し、ディレクトリ検索又はキーワード検索を行い、検索条件を満たした教科書の中から希望の商品を選択し、購入申し込み操作を実行する。
購入前に価格交渉等のための商談を行うことを希望する場合、買い手は購入申し込み時にその旨表明することができる（例：「商談希望」チェックボックスにチェックを入れる）。また、買い手は購入申し込み前に売り手に関する情報を閲覧することができる。閲覧可能な情報は、過去の商品売買履歴（出品数、成約率、返品率等）の他、個人属性情報の中で売り手が他者に公開している項目である。
【００２４】
購入申し込み操作を実行すると、購入申し込みデータが学生端末２４Ｂから管理サーバ１４に送信される。購入申し込みデータを受けた管理サーバ１４は、購入対象の教科書を出品した学生に電子メールで購入申し込み内容を通知する。
【００２５】
買い手が商談を希望した場合は、売り手と買い手とが電子メールを用いて商談を行う。商談の内容は、商品説明、質疑応答、価格交渉等である。
【００２６】
以上のプロセスを通じて教科書の売買が成立したら、売り手は所定の方法で教科書を買い手に譲渡し、買い手は所定の方法で売り手に代金を支払う。商品の受け渡しは郵送、宅配、パートナーショップでの店頭引き渡し等の方法で行う。代金の支払いは、郵便振替、銀行振込、宅配時の代引き、パートナーショップでの店頭精算等の方法で行う。また、売り手は、学生端末２４Ａを用いてＷＥＢサイトの学生向けメニューページを開き、「商品管理」を選択して商品管理画面を表示し、該当商品の管理状況を「売却済み」に変更する。なお、パートナーショップを利用して商品引き渡し及び代金精算を行う場合は、パートナーショップの担当者が売却後のデータ処理を行うようにしてもよい。
【００２７】
本システムは、以上のような学生間の教科書売買に関する履歴情報を管理する。管理する履歴情報には次のようなものが含まれる。
・各学生の教科書出品履歴
・各学生の書籍売却履歴
・各学生の書籍購入履歴
【００２８】
更に、本システムは、上記のような履歴情報に基づいて各学生の学習指向性を分析する。学習指向性とは、例えば各学生の関心分野、研究テーマ、学習履歴等である。学習指向性の分析は、例えば、予め各教科書に分野別評価ポイントを付与し、上記履歴情報に基づいて各学生の分野別評価ポイントを集計するという方法で行う。分野別評価ポイントの付与の仕方の例を以下に示す。
・専門性が高い（分類階層が深い）分野ほどポイントを高くする。
（例）『力学入門』（物理：２ポイント）、『量子力学』（物理：３ポイント）。
（例）「物理」より「宇宙物理」の方が高ポイント。
・価格が高いほど高ポイントとする（専門性が高いと推定）。
・複数分野に関連する書籍は分野毎にポイントを付与する。
（例）『環境化学』（化学：１ポイント、環境：１ポイント）
【００２９】
更に、本システムは、各種統計情報を生成して会員企業に公開する。統計情報には、例えば、分野・テーマ別学生数、教科書別学生数、学校（学部、学科）別学生数、学年・年齢別学生数、男性／女性別学生数等を含める。会員企業の担当者は、企業端末２６を用いて企業用メニューページを開き、「統計情報閲覧」を選択することにより、上記統計情報を閲覧し、本システムの会員として登録された学生全体のイメージを把握することができる。
【００３０】
特定の個人属性や学習指向性を有する学生にメールを配信する手順は次の通りである。まず、企業端末２６で企業用メニューページを開き、「配信メール作成」を選択してメール作成画面を開く。この画面でメールの配信対象となる学生の個人属性や学習指向性に関する条件（配信条件）を設定し、その条件を満たす学生にとって有用な情報（例えば、求人情報、商品・サービス情報等）を含むメール本文を作成する。メール本文の作成後にメール送信操作を実行すると、企業ＩＤ、配信条件及びメール本文が企業端末２６から管理サーバ１４に送信される。管理サーバ１４では、データ管理部２０が前記配信条件を満たす学生のメールアドレス一覧を生成し、メール管理部１８に渡す。メール管理部は、前記メール本文を含む電子メールを前記一覧に記載の各メールアドレス宛に送信する。
【００３１】
以上のような各種機能の他に、例えば、学生毎の商談履歴や成約率を企業に公開する機能を設けてもよい。この機能により、企業は商談履歴や成約率から売り手側の各学生の対応ぶりを推定できる。一方、学生側は、売り手としての誠実な対応ぶりを公開することで自己を企業にアピールできる。
【００３２】
また、同じ教科書を使っている学生や同じ講義を受講している学生の情報交換を支援するためのコミュニケーション機能（掲示板、チャット等）を設けてもよい。また、このようなコミュニケーション機能の利用画面において、参加学生の専門・関心分野に応じた情報（例えば、そのような分野と関わりのある企業のバナー広告）を提供することも可能である。
【００３３】
また、本システムで学生宛に送信される事務連絡用の電子メール（商談のメール、商品の受け渡しに関するメール）に、宛先の学生の専門・関心分野に応じた情報を挿入するという形で情報を提供することも可能である。
【００３４】
以上、本発明に係る古書籍流通支援システムの一実施例について詳細に説明したが、実施例は上記に限られるものではなく、本発明の精神及び範囲内で様々な実施例が考えられることはいうまでもない。
【図面の簡単な説明】
【図１】本発明の一実施例である教科書リサイクルシステムの概略構成図。
【図２】データ保存部の概略構成。
【図３】ＷＥＢサイトの概略構成。
【符号の説明】
１０…教科書リサイクルシステム
１２…ネットワーク
１４…管理サーバ
２０…データ管理部
２４Ａ…学生端末（売り手側）
２４Ｂ…学生端末（買い手側）
２６…企業端末
３０…教科書
【図１】
2004157928.tif 000003
【図２】
2004157928.tif 000004
【図３】
2004157928.tif 000005